(57)【要約】本発明の課題は、着信時に使用者を確実に通話可能状態に導く操作を行わせることができる折畳型携帯通信端末装置を提供することである。  上側筐体と下側筐体とを開閉自在に連結するヒンジ機構と、押下されたときヒンジ機構を開くプッシュボタンと、発光時にプッシュボタンを点灯させる発光手段と、着信時にヒンジ機構が閉じている（ステップＳ２）とき発光手段を発光（ステップＳ４）させる制御手段とを設ける。これにより、着信時に携帯通信端末装置が折り畳まれていたとき、ヒンジ機構を開くプッシュボタンが点灯するため、使用者は通話するためにプッシュボタンを押下すればよいことを容易に認識可能となる。
2004086734.tif 000002
【特許請求の範囲】
【請求項１】
上側筐体と下側筐体とを開閉自在に連結するヒンジ機構と、
押下されたとき前記ヒンジ機構を開くプッシュボタンと、
発光時に前記プッシュボタンを点灯させる発光手段と、
着信時に前記ヒンジ機構が閉じているとき前記発光手段を発光させる制御手段と、
を備えたことを特徴とする折畳型携帯通信端末装置。
【請求項２】
上側筐体と下側筐体とを開閉自在に連結するヒンジ機構と、
押下されたとき前記ヒンジ機構を開くプッシュボタンと、
発光時に前記プッシュボタンを点灯させる第１の発光手段と、
前記ヒンジ機構が開いた状態のときに押下されることで通話を開始させる通話キーと、
発光時に前記通話キーを点灯させる第２の発光手段と、
前記上側筐体と前記下側筐体とが所定角度以上開いたか否かを検出する開閉検知手段と、
着信時に前記開閉検知手段が「閉」状態を検知したとき前記第１の発光手段を発光させると共に前記第２の発光手段を非発光とし「開」状態を検知したとき前記第１の発光手段を非発光にすると共に前記第２の発光手段を発光させる制御手段と、
を備えたことを特徴とする折畳型携帯通信端末装置。
【請求項３】
前記制御手段は、着信時に前記開閉検知手段が「開」状態を検知したため前記第１の発光手段を非発光にすると共に前記第２の発光手段を発光させた後であって前記通話キーが押下される前に前記開閉検知手段が「閉」状態を検知したときは前記第１の発光手段を発光させると共に前記第２の発光手段を非発光とすることを特徴とする請求の範囲第２項に記載の折畳型携帯通信端末装置。
【請求項４】
前記制御手段は、着信時に点灯された前記プッシュボタンが押下されて前記ヒンジ機構が開いたとき通話を開始させることを特徴とする請求の範囲第１項乃至請求の範囲第３項のいずれかに記載の折畳型携帯通信端末装置。
【請求項５】
前記制御手段は、前記発光手段を発光させた後にハンズフリー装置またはイヤホン装置を用いた通話指示があったとき通話開始前に発光中の前記発光手段を非発光としてから通話を開始させることを特徴とする請求の範囲第１項乃至請求の範囲第４項のいずれかに記載の折畳型携帯通信端末装置。
【発明の詳細な説明】
【技術分野】  本発明は、開操作をワンプッシュボタンで行う折畳型携帯通信端末装置に関する。
【背景技術】  携帯電話機やパーソナルハンディホンシステム（ＰＨＳ）等の携帯通信端末装置には、各種操作キーが設けられた下側筐体と、表示画面が設けられた上側筐体とをヒンジ機構で連結した折畳型のものがある。斯かる折畳型の携帯通信端末装置は、近年では、下記特許文献１に記載されている様に、ヒンジ機構をワンプッシュボタンにて開くことができるようにし、着信時に片手にて折畳型携帯通信端末装置を開き、通話できるようになってきている。
また、携帯通信端末装置は、下記特許文献２に記載されている様に、着信時に操作すべき通話開始キーをＬＥＤ等の発光素子で点灯し、着信を使用者に知らせると同時に、次に操作すべきキーの場所を使用者に知らせる様にしている。
【特許文献１】  特開平１１−４１３２８号公報
【特許文献２】  特開平６−３００８６号公報
折畳型携帯通信端末装置に特許文献２に記載された技術を適用する場合、ヒンジ機構を開くワンプッシュボタンに発光素子を取り付け、着信時にこの発光素子を点灯させることになる。
しかし、近年の携帯通信端末装置は様々な機能が搭載されており、通話を行っていないときであっても、メール文書を作成したり、ゲームを行ったり等、ヒンジ機構を開いた状態で何らかの操作をしていることが多い。斯かる操作をしている最中に着信があり、ワンプッシュボタンを点灯させて使用者にワンプッシュボタンを押させても、通信回線がつながらないという問題が発生する。
本発明の目的は、着信時に確実に使用者を通話可能状態に導くことができる折畳型携帯通信端末装置を提供することにある。
【発明の開示】
本発明の折畳型携帯通信端末装置は、上側筐体と下側筐体とを開閉自在に連結するヒンジ機構と、押下されたとき前記ヒンジ機構を開くプッシュボタンと、発光時に前記プッシュボタンを点灯させる発光手段と、着信時に前記ヒンジ機構が閉じているとき前記発光手段を発光させる制御手段とを備えたことを特徴とする。
この構成により、通話するためにプッシュボタンを押下すればよいことが使用者に分かり、更に、プッシュボタンの存在位置も使用者に容易に知らせることができる。
本発明の折畳型携帯通信端末装置は、上側筐体と下側筐体とを開閉自在に連結するヒンジ機構と、押下されたとき前記ヒンジ機構を開くプッシュボタンと、発光時に前記プッシュボタンを点灯させる第１の発光手段と、前記ヒンジ機構が開いた状態のときに押下されることで通話を開始させる通話キーと、発光時に前記通話キーを点灯させる第２の発光手段と、前記上側筐体と前記下側筐体とが所定角度以上開いたか否かを検出する開閉検知手段と、着信時に前記開閉検知手段が「閉」状態を検知したとき前記第１の発光手段を発光させると共に前記第２の発光手段を非発光とし「開」状態を検知したとき前記第１の発光手段を非発光にすると共に前記第２の発光手段を発光させる制御手段とを備えたことを特徴とする。
この構成により、筐体を閉じているときは次の操作がプッシュボタンの押下であり、筐体が開いているときは次の操作が通話キーの押下であることが容易に判断可能となり、更に、それらのキーやボタンの存在位置を使用者に容易に認識させることが可能となる。
本発明の折畳型携帯通信端末装置の前記制御手段は、着信時に前記開閉検知手段が「開」状態を検知したため前記第１の発光手段を非発光にすると共に前記第２の発光手段を発光させた後であって前記通話キーが押下される前に前記開閉検知手段が「閉」状態を検知したときは前記第１の発光手段を発光させると共に前記第２の発光手段を非発光とすることを特徴とする。
この構成により、開いている筐体を一旦閉じてしまったときに次に操作すべきボタンが筐体を開くプッシュボタンであることを使用者が容易に認識可能となる。
本発明の折畳型携帯通信端末装置の前記制御手段は、着信時に点灯された前記プッシュボタンが押下されて前記ヒンジ機構が開いたとき通話を開始させることを特徴とする。
この構成により、通話開始までの操作手順を減らすことができ、携帯通信端末装置の使い勝手が向上する。
本発明の折畳型携帯通信端末装置の前記制御手段は、前記発光手段を発光させた後にハンズフリー装置またはイヤホン装置を用いた通話指示があったとき通話開始前に発光中の前記発光手段を非発光としてから通話を開始させることを特徴とする。
この構成により、ハンズフリー装置やイヤホン装置を用いた通話を行うことができ、携帯通信端末装置の制御装置が通話処理を開始したことを発光手段の消灯により目視で確認できる。
【図面の簡単な説明】  図１は、本発明の第１の実施の形態に係る折畳型携帯通信端末装置の折り畳んだ状態の外観図であり、
図２は、本発明の第１の実施の形態に係る折畳型携帯通信端末装置の開いた状態の外観図であり、
図３は、本発明の第１の実施の形態に係る折畳型携帯通信端末装置の分解図であり、
図４は、本発明の第１の実施の形態に係る折畳型携帯通信端末装置の要部断面図であり、
図５は、本発明の第１の実施の形態に係る折畳型携帯通信端末装置の電気制御系のブロック構成図であり、
図６は、本発明の第１の実施の形態に係る折畳型携帯通信端末装置に搭載される回路制御部の処理手順を示すフローチャートであり、
図７は、本発明の第１の実施の形態に係る折畳型携帯通信端末装置の筐体開閉状態と着信時のＬＥＤオンオフ状態をまとめた図であり、
図８は、本発明の第２の実施の形態に係る折畳型携帯通信端末装置に搭載される回路制御部の処理手順を示すフローチャートである。
なお、図中の符号、１は折畳型携帯通信端末装置、２は下側筐体、２ａは下ケース、２ｂは下カバー、２ｃ、２ｄは軸受収納部、３は上側筐体、４はヒンジ機構、５ａは通話キー、６はアンテナ、１１は着信用のＬＥＤ、１２はワンプッシュボタン、１３は基板、１４はキーシート、１７は通話キー用のＬＥＤ、１８はワンプッシュボタン用のＬＥＤ、１９は導光孔、２１は回路制御部、２３は開閉検知スイッチである。
【発明を実施するための最良の形態】  以下、本発明の一実施の形態について、図面を参照して説明する。
図１は、本発明の第１の実施の形態に係る折畳型携帯通信端末装置の閉じた状態の外観図であり、図２は、開いた状態の外観図である。この折畳型携帯通信端末装置１は、下側筐体２と上側筐体３とがヒンジ機構４で連結されている。下側筐体２の内側面（閉じたとき隠れる面）には各種操作キー５が設けられ、側部にはアンテナ６が、最下部には送話器用の通孔７が設けられている。上側筐体３の内側面（閉じたとき隠れる面）にはメイン表示部８が設けられ、最上部には受話器用の通孔９が設けられ、内側面と反対側の外側面には、図１に示す様に、サブ表示部１０と着信ＬＥＤ１１とが設けられている。
ヒンジ機構４の片側には、ワンプッシュボタン１２が設けられ、このワンプッシュボタン１２が押されると、ヒンジ機構４が開き、図１の状態から図２の状態になる。
図３は、図１に示す折畳型携帯通信端末装置の分解図であり、図４は、この折畳型携帯通信端末装置のワンプッシュボタン１２部分の断面図である。図３に示す様に、下側筐体２は、下ケース２ａと下カバー２ｂとに分割して設けられ、下ケース２ａと下カバー２ｂとの間に、電子部品搭載用の基板１３とキーシート１４とが挟み込まれ、側部にアンテナ６が組み込まれる。
ヒンジ機構４の両端部は夫々軸受部１５、１６に軸支され、一方の軸受部１５は、ワンプッシュボタン１２に連設される。各軸受部１５、１６は、下カバー２ｂの上端両側に夫々膨出形成された軸受収納部２ｃ、２ｄ内に収納される。
キーシート１４の通話キー５ａが設けられる位置に対応する基板１３の該当位置には、通話キー５ａを点灯あるいは点滅表示する通話キー用ＬＥＤ１７が設けられている。
図３及び図４に示す様に、基板１３のワンプッシュボタン１２を設ける片側はワンプッシュボタン取付位置まで延出形成され、延出部１３ａの先端部分に、ワンプッシュボタン点灯用あるいは点滅表示用のワンプッシュボタン用ＬＥＤ１８が設けられている。そして、上記の膨出形成された軸受収納部２ｃの底面に導光孔１９が穿設され、ＬＥＤ１８の発光光が導光光１９を通りワンプッシュボタン１２の背面側に導かれる。ワンプッシュボタン１２は、乳白色の拡散材で成形されており、背面側に光が導入されたとき、ワンプッシュボタン１２全体が光る様になっている。
図５は、図１に示す折畳型携帯通信端末装置に搭載された電気制御系のブロック構成図である。基板１３には、回路制御部２１と、この回路制御部２１に接続された無線通信回路２２及び開閉検知スイッチ２３とが設けられ、図２に示す通孔９の背面側に設けられる受話器２４と通孔７の背面側に設けられる送話器２５とが回路制御部２１に接続される。
開閉検知スイッチ２３は、上側筐体３と下側筐体２とが所定角度以上開いている状態のとき開信号を回路制御部２１に出力し、それ以外の状態のときは閉信号を回路制御部２１に出力する。
また、図１に示した着信用ＬＥＤ１１と、図３に示す通話キー用ＬＥＤ１７及びワンプッシュボタン用ＬＥＤ１８とが回路制御部２１に接続され、更に、通話キー５ａを含む各種操作キー５が回路制御部２１に接続される。しかし、本実施形態のワンプッシュボタン１２は、単に機械的にヒンジ機構４を開くためだけに設けられているため、ワンプッシュボタン１２と回路制御部２１とは何ら電気的接続はない。
図６は、着信時に回路制御部２１が行う処理手順を示すフローチャートである。着信があると（ステップＳ１）、回路制御部２１は、筐体の開閉を検出する（ステップＳ２）。即ち、開閉検知スイッチ２３が開信号を出力しているか閉信号を出力しているかを判断する。
開閉検知スイッチ２３が閉信号を出力し筐体が閉じている場合には、通話キー５ａのＬＥＤ１７をオフのままとし（ステップＳ３）、次に、ワンプッシュボタン１２用のＬＥＤ１８をオンにする（ステップＳ４）。折畳型携帯通信端末装置１が折り畳まれた状態では、操作用キー５が設けられた面は隠れているため、通話キー５ａを点灯させてもバッテリ電力が無駄となるため、ＬＥＤ１７は非点灯のままとし、ワンプッシュボタン１２のＬＥＤ１８を点灯させ、使用者にワンプッシュボタン１２を押すことを促す。
ワンプッシュボタン１２のＬＥＤ１８が点灯した後は、筐体が開かれるのを待機する（ステップＳ５）。即ち、開閉検知スイッチ２３から開信号が出力されるのを待機する。使用者がワンプッシュボタン１２を押して筐体が開かれると、開閉検知スイッチ２３が開信号を出力し、回路制御部２１は、この閉信号を受けて先ずＬＥＤ１８を消灯し（ステップＳ６）、無線通信回路２２を用いて通話を開始する（ステップＳ７）。即ち、本実施の形態では、着信があり筐体が「閉」から「開」になったことをもって通話開始とし、通話キー５ａの押下を不要とする。
着信（ステップＳ１）があった時に筐体が開いていた場合には、通話キー５ａのＬＥＤ１７をオンにする（ステップＳ８）と共に、ワンプッシュボタン１２のＬＥＤ１８をオフのままとする（ステップＳ９）。通話キー５ａが点灯し、ワンプッシュボタン１２が非点灯のままのため、使用者は、通話するために行う次の操作が通話キー５ａの押下であると容易に判断可能となる。
次に回路制御部２１は、再び筐体の開閉状態を検出し（ステップＳ１０）、開閉検知スイッチ２３から開信号が出力されていれば、今度は通話キー５ａが押下されたか否かを判定する（ステップＳ１１）。通話キー５ａが押下されない場合には筐体の開閉状態の検出処理（ステップＳ１０）に戻り、通話キー５ａが押下された場合には、ＬＥＤ１７をオフすなわち消灯して（ステップＳ１２）から、通話処理（ステップＳ７）に入る。
筐体の開閉状態の検出処理（ステップＳ１０）で、筐体は閉じられていると判定した場合、即ち、筐体が開かれた状態で着信があり使用者が筐体を閉じた場合には、本実施の形態では、通話キー５ａを消灯し（ステップＳ３）、ワンプッシュボタン１２を点灯（ステップＳ４）する。そして、再び筐体が開かれると（ステップＳ５）、ワンプッシュボタン１２を消灯して（ステップＳ６）から、通話を開始する（ステップＳ７）。
この様に、本実施形態によれば、筐体が閉じられた状態で着信があった場合にはワンプッシュボタン１２を点灯して使用者にワンプッシュボタン１２の押下を促し、筐体が開かれると通話キー５ａの押下無しに通話を開始するため、また、筐体が開かれた状態で着信があった場合にはワンプッシュボタン１２を非点灯として通話キー５ａを点灯するため、通話を開始するために使用者は次に何を操作すべきかを直感的に判断することが可能となる。
図７は、筐体の開閉状態と着信時のＬＥＤ１８、１７、１１のオンオフ状態をまとめた図である。ワンプッシュボタン用ＬＥＤは、筐体が「開」のときはオフ、筐体が「閉」のときはオン、筐体が「閉」から「開」に変化したときにオフにする。通話キー用ＬＥＤは、筐体が「開」のときオン、筐体が「閉」のときオフ、筐体が「閉」から「開」に変化したときは通話が開始されるためＬＥＤはそのままオフとする。着信用ＬＥＤは、筐体が「開」でも「閉」でも着信時にはオンとし、筐体が「閉」から「開」に変化したときは通話が開始されるためオフとする。
図８は、本発明の第２の実施の形態に係る回路制御部の処理手順を示すフローチャートである。携帯通信端末装置は、使用者が自動車を運転しているときハンズフリー用機器に接続されて使用される場合があり、また、イヤホンが用いられることもある。斯かる場合における処理手順を以下に説明する。
着信があると（ステップＳ２１）、筐体の開閉を検出する（ステップＳ２２）。筐体が「開」のときはワンプッシュボタン１２をオフのままとし（ステップＳ２３）、通話キー５ａを点灯する（ステップＳ２４）。
そして次に、ハンズフリー用の車載アダプタが接続されているか否かを判定する（ステップＳ２５）。車載アダプタが接続されている場合には、ハンズフリースイッチがオンであるかオフであるかを判定する（ステップＳ２６）。ハンズフリースイッチがオンの場合には、そのまま通話を開始すべく、通話キー５ａのＬＥＤ１７を消灯して（ステップＳ２７）から通話処理（ステップＳ２８）に入る。
ハンズフリースイッチがオフであると判定（ステップＳ２６）した場合には、あるいは車載アダプタが接続されていないと判定（ステップＳ２５）した場合には、次にイヤホンが挿入されているか否かを判定する（ステップＳ２９）。イヤホンが挿入されている場合は、イヤホンスイッチがオンであるかオフであるかを判定する（ステップＳ３０）。
そして、イヤホンスイッチがオンの場合は、通話キー５ａのＬＥＤを消灯（ステップＳ２７）してから通話処理（ステップＳ２８）に入る。イヤホンが挿入されていない場合には、通話キー５ａが押下されたか否かを判定（ステップＳ３１）する。イヤホンスイッチがオフであると判定（ステップＳ３０）した場合にもこの通話キー５ａが押下されたか否かを判定する（ステップＳ３１）。
通話キー５ａが押下された（ステップＳ３１）場合には、次に、通話キー５ａのＬＥＤを消灯（ステップＳ２７）してから通話処理（ステップＳ２８）に入る。通話キー５ａが押下されない場合には、筐体の開閉状態の検出処理（ステップＳ２２）に戻る。
着信があり（ステップＳ２１）、筐体が「閉」と判定した（ステップＳ２２）場合、あるいは、筐体が「開」のとき着信があって使用者が筐体を一旦閉じたために筐体「閉」と判定した場合（ステップＳ２２）には、ワンプッシュボタン１２をオンにする（ステップＳ３２）と共に、通話キー５ａを消灯すなわちＬＥＤ１７を非点灯状態のままとする（ステップＳ３３）。
次に、ハンズフリー用の車載アダプタが接続されているか否かを判定する（ステップＳ３４）。車載アダプタが接続されている場合には、次にハンズフリースイッチがオンであるかオフであるかを判定する（ステップＳ３５）。ハンズフリースイッチがオンの場合には、ワンプッシュボタン１２を消灯して（ステップＳ３６）から通話処理（ステップＳ２８）に入る。
ハンズフリースイッチがオフの場合（ステップＳ３５）あるいは車載アダプタが接続されていないと判定した場合（ステップＳ３４）には、イヤホンが挿入されているか否かを判定する（ステップＳ３７）。イヤホンが挿入されている場合には、イヤホンスイッチがオンであるかオフであるかを判定する（ステップＳ３８）。
イヤホンスイッチがオンの場合にはワンプッシュボタン１２のＬＥＤをオフにして（ステップＳ３６）から通話処理（ステップＳ２８）に入る。イヤホンが挿入されていない場合（ステップＳ３７）には、筐体の開閉状態を検出する（ステップＳ３９）。イヤホンスイッチがオフであると判定（ステップＳ３８）した場合にも筐体の開閉状態の検出処理（ステップＳ３９）に進む。
筐体が「開」となった場合（ステップＳ３９）には、ワンプッシュボタン１２のＬＥＤを消灯（ステップＳ３６）してから通話処理（ステップＳ２８）に入る。筐体が「閉」のままのときは、車載アダプタが接続されているか否かの判定処理（ステップＳ３４）に戻り、使用者がハンズフリー装置あるいはイヤホンあるいは筐体「開」のいずれかによって通話するのを待機する。
この様に、本実施の形態によれば、第１の実施の形態に加えて、ハンズフリー装置やイヤホン装置が接続されている場合にこれらのハンズフリー装置やイヤホン装置を用いて通話接続を行うことが可能となる。
本発明を詳細にまた特定の実施態様を参照して説明したが、本発明の精神と範囲を逸脱することなく様々な変更や修正を加えることができることは当業者にとって明らかである。
本出願は、２００３年３月２４日出願の日本特許出願Ｎｏ．２００３−０８０８９０に基づくものであり、その内容はここに参照として取り込まれる。
【産業上の利用可能性】  本発明によれば、着信時に確実に使用者を通話可能状態に導くことができる折畳型携帯通信端末装置を提供することができる。
【図１】
2004086734.tif 000003
【図２】
2004086734.tif 000004
【図３】
2004086734.tif 000005
【図４】
2004086734.tif 000006
【図５】
2004086734.tif 000007
【図６】
2004086734.tif 000008
【図７】
2004086734.tif 000009
【図８】
2004086734.tif 000010
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
上側筐体と下側筐体とを開閉自在に連結するヒンジ機構と、
押下されたとき前記ヒンジ機構を開くプッシュボタンと、
発光時に前記プッシュボタンを点灯させる発光手段と、
着信時に前記ヒンジ機構が閉じているとき前記発光手段を発光させる制御手段と、
を備えたことを特徴とする折畳型携帯通信端末装置。
【請求項２】
上側筐体と下側筐体とを開閉自在に連結するヒンジ機構と、
押下されたとき前記ヒンジ機構を開くプッシュボタンと、
発光時に前記プッシュボタンを点灯させる第１の発光手段と、
前記ヒンジ機構が開いた状態のときに押下されることで通話を開始させる通話キーと、
発光時に前記通話キーを点灯させる第２の発光手段と、
前記上側筐体と前記下側筐体とが所定角度以上開いたか否かを検出する開閉検知手段と、
着信時に前記開閉検知手段が「閉」状態を検知したとき前記第１の発光手段を発光させると共に前記第２の発光手段を非発光とし「開」状態を検知したとき前記第１の発光手段を非発光にすると共に前記第２の発光手段を発光させる制御手段と、
を備えたことを特徴とする折畳型携帯通信端末装置。
【請求項３】
前記制御手段は、着信時に前記開閉検知手段が「開」状態を検知したため前記第１の発光手段を非発光にすると共に前記第２の発光手段を発光させた後であって前記通話キーが押下される前に前記開閉検知手段が「閉」状態を検知したときは前記第１の発光手段を発光させると共に前記第２の発光手段を非発光とすることを特徴とする請求項２に記載の折畳型携帯通信端末装置。
【請求項４】
前記制御手段は、着信時に点灯された前記プッシュボタンが押下されて前記ヒンジ機構が開いたとき通話を開始させることを特徴とする請求項１乃至３のいずれかに記載の折畳型携帯通信端末装置。
【請求項５】
前記制御手段は、前記発光手段を発光させた後にハンズフリー装置またはイヤホン装置を用いた通話指示があったとき通話開始前に発光中の前記発光手段を非発光としてから通話を開始させることを特徴とする請求項１乃至４のいずれかに記載の折畳型携帯通信端末装置。
【手続補正２】
【補正対象書類名】明細書
【補正対象項目名】全文
【補正方法】変更
【補正の内容】
【発明の詳細な説明】
【技術分野】
【０００１】
本発明は、開操作をワンプッシュボタンで行う折畳型携帯通信端末装置に関する。
【背景技術】
【０００２】
携帯電話機やパーソナルハンディホンシステム（ＰＨＳ）等の携帯通信端末装置には、各種操作キーが設けられた下側筐体と、表示画面が設けられた上側筐体とをヒンジ機構で連結した折畳型のものがある。斯かる折畳型の携帯通信端末装置は、近年では、下記特許文献１に記載されている様に、ヒンジ機構をワンプッシュボタンにて開くことができるようにし、着信時に片手にて折畳型携帯通信端末装置を開き、通話できるようになってきている。
【０００３】
また、携帯通信端末装置は、下記特許文献２に記載されている様に、着信時に操作すべき通話開始キーをＬＥＤ等の発光素子で点灯し、着信を使用者に知らせると同時に、次に操作すべきキーの場所を使用者に知らせる様にしている。
【特許文献１】特開平１１―４１３２８号公報
【特許文献２】特開平６―３００８６号公報
【発明の開示】
【発明が解決しようとする課題】
【０００４】
折畳型携帯通信端末装置に特許文献２に記載された技術を適用する場合、ヒンジ機構を開くワンプッシュボタンに発光素子を取り付け、着信時にこの発光素子を点灯させることになる。
【０００５】
しかし、近年の携帯通信端末装置は様々な機能が搭載されており、通話を行っていないときであっても、メール文書を作成したり、ゲームを行ったり等、ヒンジ機構を開いた状態で何らかの操作をしていることが多い。斯かる操作をしている最中に着信があり、ワンプッシュボタンを点灯させて使用者にワンプッシュボタンを押させても、通信回線がつながらないという問題が発生する。  
【０００６】
本発明の目的は、着信時に確実に使用者を通話可能状態に導くことができる折畳型携帯通信端末装置を提供することにある。
【課題を解決するための手段】
【０００７】
本発明の折畳型携帯通信端末装置は、上側筐体と下側筐体とを開閉自在に連結するヒンジ機構と、押下されたとき前記ヒンジ機構を開くプッシュボタンと、発光時に前記プッシュボタンを点灯させる発光手段と、着信時に前記ヒンジ機構が閉じているとき前記発光手段を発光させる制御手段とを備えたことを特徴とする。
【０００８】
この構成により、通話するためにプッシュボタンを押下すればよいことが使用者に分かり、更に、プッシュボタンの存在位置も使用者に容易に知らせることができる。
【０００９】
本発明の折畳型携帯通信端末装置は、上側筐体と下側筐体とを開閉自在に連結するヒンジ機構と、押下されたとき前記ヒンジ機構を開くプッシュボタンと、発光時に前記プッシュボタンを点灯させる第１の発光手段と、前記ヒンジ機構が開いた状態のときに押下されることで通話を開始させる通話キーと、発光時に前記通話キーを点灯させる第２の発光手段と、前記上側筐体と前記下側筐体とが所定角度以上開いたか否かを検出する開閉検知手段と、着信時に前記開閉検知手段が「閉」状態を検知したとき前記第１の発光手段を発光させると共に前記第２の発光手段を非発光とし「開」状態を検知したとき前記第１の発光手段を非発光にすると共に前記第２の発光手段を発光させる制御手段とを備えたことを特徴とする。
【００１０】
この構成により、筐体を閉じているときは次の操作がプッシュボタンの押下であり、筐体が開いているときは次の操作が通話キーの押下であることが容易に判断可能となり、更に、それらのキーやボタンの存在位置を使用者に容易に認識させることが可能となる。
【００１１】
本発明の折畳型携帯通信端末装置の前記制御手段は、着信時に前記開閉検知手段が「開」状態を検知したため前記第１の発光手段を非発光にすると共に前記第２の発光手段を発光させた後であって前記通話キーが押下される前に前記開閉検知手段が「閉」状態を検知したときは前記第１の発光手段を発光させると共に前記第２の発光手段を非発光とすることを特徴とする。
【００１２】
この構成により、開いている筐体を一旦閉じてしまったときに次に操作すべきボタンが筐体を開くプッシュボタンであることを使用者が容易に認識可能となる。
【００１３】
本発明の折畳型携帯通信端末装置の前記制御手段は、着信時に点灯された前記プッシュボタンが押下されて前記ヒンジ機構が開いたとき通話を開始させることを特徴とする。
【００１４】
この構成により、通話開始までの操作手順を減らすことができ、携帯通信端末装置の使い勝手が向上する。
【００１５】
本発明の折畳型携帯通信端末装置の前記制御手段は、前記発光手段を発光させた後にハンズフリー装置またはイヤホン装置を用いた通話指示があったとき通話開始前に発光中の前記発光手段を非発光としてから通話を開始させることを特徴とする。
【００１６】
この構成により、ハンズフリー装置やイヤホン装置を用いた通話を行うことができ、携帯通信端末装置の制御装置が通話処理を開始したことを発光手段の消灯により目視で確認できる。
【発明の効果】
【００１７】
本発明の折畳型携帯通信端末装置によれば、着信時に確実に使用者を通話可能状態に導くことができる。
【発明を実施するための最良の形態】
【００１８】
以下、本発明の一実施の形態について、図面を参照して説明する。
【００１９】
図１は、本発明の第１の実施の形態に係る折畳型携帯通信端末装置の閉じた状態の外観図であり、図２は、開いた状態の外観図である。この折畳型携帯通信端末装置１は、下側筐体２と上側筐体３とがヒンジ機構４で連結されている。下側筐体２の内側面（閉じたとき隠れる面）には各種操作キー５が設けられ、側部にはアンテナ６が、最下部には送話器用の通孔７が設けられている。上側筐体３の内側面（閉じたとき隠れる面）にはメイン表示部８が設けられ、最上部には受話器用の通孔９が設けられ、内側面と反対側の外側面には、図１に示す様に、サブ表示部１０と着信ＬＥＤ１１とが設けられている。
【００２０】
ヒンジ機構４の片側には、ワンプッシュボタン１２が設けられ、このワンプッシュボタン１２が押されると、ヒンジ機構４が開き、図１の状態から図２の状態になる。
【００２１】
図３は、図１に示す折畳型携帯通信端末装置の分解図であり、図４は、この折畳型携帯通信端末装置のワンプッシュボタン１２部分の断面図である。図３に示す様に、下側筐体２は、下ケース２ａと下カバー２ｂとに分割して設けられ、下ケース２ａと下カバー２ｂとの間に、電子部品搭載用の基板１３とキーシート１４とが挟み込まれ、側部にアンテナ６が組み込まれる。
【００２２】
ヒンジ機構４の両端部は夫々軸受部１５、１６に軸支され、一方の軸受部１５は、ワンプッシュボタン１２に連設される。各軸受部１５、１６は、下カバー２ｂの上端両側に夫々膨出形成された軸受収納部２ｃ、２ｄ内に収納される。
【００２３】
キーシート１４の通話キー５ａが設けられる位置に対応する基板１３の該当位置には、通話キー５ａを点灯あるいは点滅表示する通話キー用ＬＥＤ１７が設けられている。
【００２４】
図３及び図４に示す様に、基板１３のワンプッシュボタン１２を設ける片側はワンプッシュボタン取付位置まで延出形成され、延出部１３ａの先端部分に、ワンプッシュボタン点灯用あるいは点滅表示用のワンプッシュボタン用ＬＥＤ１８が設けられている。そして、上記の膨出形成された軸受収納部２ｃの底面に導光孔１９が穿設され、ＬＥＤ１８の発光光が導光光１９を通りワンプッシュボタン１２の背面側に導かれる。ワンプッシュボタン１２は、乳白色の拡散材で成形されており、背面側に光が導入されたとき、ワンプッシュボタン１２全体が光る様になっている。
【００２５】
図５は、図１に示す折畳型携帯通信端末装置に搭載された電気制御系のブロック構成図である。基板１３には、回路制御部２１と、この回路制御部２１に接続された無線通信回路２２及び開閉検知スイッチ２３とが設けられ、図２に示す通孔９の背面側に設けられる受話器２４と通孔７の背面側に設けられる送話器２５とが回路制御部２１に接続される。
【００２６】
開閉検知スイッチ２３は、上側筐体３と下側筐体２とが所定角度以上開いている状態のとき開信号を回路制御部２１に出力し、それ以外の状態のときは閉信号を回路制御部２１に出力する。
【００２７】
また、図１に示した着信用ＬＥＤ１１と、図３に示す通話キー用ＬＥＤ１７及びワンプッシュボタン用ＬＥＤ１８とが回路制御部２１に接続され、更に、通話キー５ａを含む各種操作キー５が回路制御部２１に接続される。しかし、本実施形態のワンプッシュボタン１２は、単に機械的にヒンジ機構４を開くためだけに設けられているため、ワンプッシュボタン１２と回路制御部２１とは何ら電気的接続はない。
【００２８】
図６は、着信時に回路制御部２１が行う処理手順を示すフローチャートである。着信があると（ステップＳ１）、回路制御部２１は、筐体の開閉を検出する（ステップＳ２）。即ち、開閉検知スイッチ２３が開信号を出力しているか閉信号を出力しているかを判断する。
【００２９】
開閉検知スイッチ２３が閉信号を出力し筐体が閉じている場合には、通話キー５ａのＬＥＤ１７をオフのままとし（ステップＳ３）、次に、ワンプッシュボタン１２用のＬＥＤ１８をオンにする（ステップＳ４）。折畳型携帯通信端末装置１が折り畳まれた状態では、操作用キー５が設けられた面は隠れているため、通話キー５ａを点灯させてもバッテリ電力が無駄となるため、ＬＥＤ１７は非点灯のままとし、ワンプッシュボタン１２のＬＥＤ１８を点灯させ、使用者にワンプッシュボタン１２を押すことを促す。
【００３０】
ワンプッシュボタン１２のＬＥＤ１８が点灯した後は、筐体が開かれるのを待機する（ステップＳ５）。即ち、開閉検知スイッチ２３から開信号が出力されるのを待機する。使用者がワンプッシュボタン１２を押して筐体が開かれると、開閉検知スイッチ２３が開信号を出力し、回路制御部２１は、この閉信号を受けて先ずＬＥＤ１８を消灯し（ステップＳ６）、無線通信回路２２を用いて通話を開始する（ステップＳ７）。即ち、本実施の形態では、着信があり筐体が「閉」から「開」になったことをもって通話開始とし、通話キー５ａの押下を不要とする。
【００３１】
着信（ステップＳ１）があった時に筐体が開いていた場合には、通話キー５ａのＬＥＤ１７をオンにする（ステップＳ８）と共に、ワンプッシュボタン１２のＬＥＤ１８をオフのままとする（ステップＳ９）。通話キー５ａが点灯し、ワンプッシュボタン１２が非点灯のままのため、使用者は、通話するために行う次の操作が通話キー５ａの押下であると容易に判断可能となる。
【００３２】
次に回路制御部２１は、再び筐体の開閉状態を検出し（ステップＳ１０）、開閉検知スイッチ２３から開信号が出力されていれば、今度は通話キー５ａが押下されたか否かを判定する（ステップＳ１１）。通話キー５ａが押下されない場合には筐体の開閉状態の検出処理（ステップＳ１０）に戻り、通話キー５ａが押下された場合には、ＬＥＤ１７をオフすなわち消灯して（ステップＳ１２）から、通話処理（ステップＳ７）に入る。
【００３３】
筐体の開閉状態の検出処理（ステップＳ１０）で、筐体は閉じられていると判定した場合、即ち、筐体が開かれた状態で着信があり使用者が筐体を閉じた場合には、本実施の形態では、通話キー５ａを消灯し（ステップＳ３）、ワンプッシュボタン１２を点灯（ステップＳ４）する。そして、再び筐体が開かれると（ステップＳ５）、ワンプッシュボタン１２を消灯して（ステップＳ６）から、通話を開始する（ステップＳ７）。
【００３４】
この様に、本実施形態によれば、筐体が閉じられた状態で着信があった場合にはワンプッシュボタン１２を点灯して使用者にワンプッシュボタン１２の押下を促し、筐体が開かれると通話キー５ａの押下無しに通話を開始するため、また、筐体が開かれた状態で着信があった場合にはワンプッシュボタン１２を非点灯として通話キー５ａを点灯するため、通話を開始するために使用者は次に何を操作すべきかを直感的に判断することが可能となる。
【００３５】
図７は、筐体の開閉状態と着信時のＬＥＤ１８、１７、１１のオンオフ状態をまとめた図である。ワンプッシュボタン用ＬＥＤは、筐体が「開」のときはオフ、筐体が「閉」のときはオン、筐体が「閉」から「開」に変化したときにオフにする。通話キー用ＬＥＤは、筐体が「開」のときオン、筐体が「閉」のときオフ、筐体が「閉」から「開」に変化したときは通話が開始されるためＬＥＤはそのままオフとする。着信用ＬＥＤは、筐体が「開」でも「閉」でも着信時にはオンとし、筐体が「閉」から「開」に変化したときは通話が開始されるためオフとする。
【００３６】
図８は、本発明の第２の実施の形態に係る回路制御部の処理手順を示すフローチャートである。携帯通信端末装置は、使用者が自動車を運転しているときハンズフリー用機器に接続されて使用される場合があり、また、イヤホンが用いられることもある。斯かる場合における処理手順を以下に説明する。
【００３７】
着信があると（ステップＳ２１）、筐体の開閉を検出する（ステップＳ２２）。筐体が「開」のときはワンプッシュボタン１２をオフのままとし（ステップＳ２３）、通話キー５ａを点灯する（ステップＳ２４）。
【００３８】
そして次に、ハンズフリー用の車載アダプタが接続されているか否かを判定する（ステップＳ２５）。車載アダプタが接続されている場合には、ハンズフリースイッチがオンであるかオフであるかを判定する（ステップＳ２６）。ハンズフリースイッチがオンの場合には、そのまま通話を開始すべく、通話キー５ａのＬＥＤ１７を消灯して（ステップＳ２７）から通話処理（ステップＳ２８）に入る。
【００３９】
ハンズフリースイッチがオフであると判定（ステップＳ２６）した場合には、あるいは車載アダプタが接続されていないと判定（ステップＳ２５）した場合には、次にイヤホンが挿入されているか否かを判定する（ステップＳ２９）。イヤホンが挿入されている場合は、イヤホンスイッチがオンであるかオフであるかを判定する（ステップＳ３０）。
【００４０】
そして、イヤホンスイッチがオンの場合は、通話キー５ａのＬＥＤを消灯（ステップＳ２７）してから通話処理（ステップＳ２８）に入る。イヤホンが挿入されていない場合には、通話キー５ａが押下されたか否かを判定（ステップＳ３１）する。イヤホンスイッチがオフであると判定（ステップＳ３０）した場合にもこの通話キー５ａが押下されたか否かを判定する（ステップＳ３１）。
【００４１】
通話キー５ａが押下された（ステップＳ３１）場合には、次に、通話キー５ａのＬＥＤを消灯（ステップＳ２７）してから通話処理（ステップＳ２８）に入る。通話キー５ａが押下されない場合には、筐体の開閉状態の検出処理（ステップＳ２２）に戻る。
【００４２】
着信があり（ステップＳ２１）、筐体が「閉」と判定した（ステップＳ２２）場合、あるいは、筐体が「開」のとき着信があって使用者が筐体を一旦閉じたために筐体「閉」と判定した場合（ステップＳ２２）には、ワンプッシュボタン１２をオンにする（ステップＳ３２）と共に、通話キー５ａを消灯すなわちＬＥＤ１７を非点灯状態のままとする（ステップＳ３３）。
【００４３】
次に、ハンズフリー用の車載アダプタが接続されているか否かを判定する（ステップＳ３４）。車載アダプタが接続されている場合には、次にハンズフリースイッチがオンであるかオフであるかを判定する（ステップＳ３５）。ハンズフリースイッチがオンの場合には、ワンプッシュボタン１２を消灯して（ステップＳ３６）から通話処理（ステップＳ２８）に入る。
【００４４】
ハンズフリースイッチがオフの場合（ステップＳ３５）あるいは車載アダプタが接続されていないと判定した場合（ステップＳ３４）には、イヤホンが挿入されているか否かを判定する（ステップＳ３７）。イヤホンが挿入されている場合には、イヤホンスイッチがオンであるかオフであるかを判定する（ステップＳ３８）。
【００４５】
イヤホンスイッチがオンの場合にはワンプッシュボタン１２のＬＥＤをオフにして（ステップＳ３６）から通話処理（ステップＳ２８）に入る。イヤホンが挿入されていない場合（ステップＳ３７）には、筐体の開閉状態を検出する（ステップＳ３９）。イヤホンスイッチがオフであると判定（ステップＳ３８）した場合にも筐体の開閉状態の検出処理（ステップＳ３９）に進む。
【００４６】
筐体が「開」となった場合（ステップＳ３９）には、ワンプッシュボタン１２のＬＥＤを消灯（ステップＳ３６）してから通話処理（ステップＳ２８）に入る。筐体が「閉」のままのときは、車載アダプタが接続されているか否かの判定処理（ステップＳ３４）に戻り、使用者がハンズフリー装置あるいはイヤホンあるいは筐体「開」のいずれかによって通話するのを待機する。
【００４７】
この様に、本実施の形態によれば、第１の実施の形態に加えて、ハンズフリー装置やイヤホン装置が接続されている場合にこれらのハンズフリー装置やイヤホン装置を用いて通話接続を行うことが可能となる。
【００４８】
本発明を詳細にまた特定の実施態様を参照して説明したが、本発明の精神と範囲を逸脱することなく様々な変更や修正を加えることができることは当業者にとって明らかである。
【００４９】
本出願は、2003年3月24日出願の日本特許出願Ｎｏ．2003-080890に基づくものであり、その内容はここに参照として取り込まれる。
【産業上の利用可能性】
【００５０】
本発明によれば、着信時に確実に使用者を通話可能状態に導くことができる折畳型携帯通信端末装置を提供することができる。
【図面の簡単な説明】
【００５１】
【図１】本発明の第１の実施の形態に係る折畳型携帯通信端末装置の折り畳んだ状態の外観図
【図２】本発明の第１の実施の形態に係る折畳型携帯通信端末装置の開いた状態の外観図
【図３】本発明の第１の実施の形態に係る折畳型携帯通信端末装置の分解図
【図４】本発明の第１の実施の形態に係る折畳型携帯通信端末装置の要部断面図
【図５】本発明の第１の実施の形態に係る折畳型携帯通信端末装置の電気制御系のブロック構成図
【図６】本発明の第１の実施の形態に係る折畳型携帯通信端末装置に搭載される回路制御部の処理手順を示すフローチャート
【図７】本発明の第１の実施の形態に係る折畳型携帯通信端末装置の筐体開閉状態と着信時のＬＥＤオンオフ状態をまとめた図
【図８】本発明の第２の実施の形態に係る折畳型携帯通信端末装置に搭載される回路制御部の処理手順を示すフローチャート
【符号の説明】
【００５２】
１  折畳型携帯通信端末装置
２  下側筐体
２ａ  下ケース
２ｂ  下カバー
２ｃ、２ｄ  軸受収納部
３  上側筐体
４  ヒンジ機構
５ａ  通話キー
６  アンテナ
１１  着信用のＬＥＤ
１２  ワンプッシュボタン
１３  基板
１４  キーシート
１７  通話キー用のＬＥＤ
１８  ワンプッシュボタン用のＬＥＤ
１９  導光孔
２１  回路制御部
２３  開閉検知スイッチ
【手続補正３】
【補正対象書類名】図面
【補正対象項目名】全図
【補正方法】変更
【補正の内容】
【図１】
2004086734.tif 000011
【図２】
2004086734.tif 000012
【図３】
2004086734.tif 000013
【図４】
2004086734.tif 000014
【図５】
2004086734.tif 000015
【図６】
2004086734.tif 000016
【図７】
2004086734.tif 000017
【図８】
2004086734.tif 000018
【国際調査報告】
2004086734.tif 000019
2004086734.tif 000020
2004086734.tif 000021